(57)【特許請求の範囲】
【請求項１】
無線ネットワーク上で装置の送信を協調する方法であって、
第１の通信装置により、通信チャネルでビーコンを送信するステップであって、前記ビーコンは、ビーコン間隔に含まれるべき複数のタイムスロットのためのタイムスロットスケジュールを有し、前記第１の通信装置は、前記通信チャネルにアクセスするために他の通信装置に前記複数のタイムスロットを割り当てる、ステップと、
前記第１の通信装置により、前記通信チャネルが前記複数のタイムスロットのうちの第１のタイムスロットのスロット境界でビジーでない場合、前記スロット境界で第１の同期フレームを送信するステップであって、前記スロット境界は、第２の通信装置が同期フレームを受信するために居眠り状態から覚醒する時間に対応する、ステップと、
前記第１の通信装置により、前記通信チャネルが前記第１のタイムスロットの前記スロット境界でビジーである場合、前記スロット境界で前記第１の同期フレームを送信しないステップと、
を有する方法。
【請求項２】
２以上の他の通信装置間の有意な衝突確率を決定するステップと、
前記２以上の他の通信装置によるアクセスの分配を決定するステップと、
前記アクセスの分配を示す第２のビーコンフレームを生成するステップと、
前記第２のビーコンフレームを送信するステップと、
を有する請求項１に記載の方法。
【請求項３】
有意な衝突確率を決定するステップは、前記他の通信装置のうちの少なくとも１つからの送信との衝突を検出するステップを有する、請求項２に記載の方法。
【請求項４】
タイムスロットを有する前記タイムスロットスケジュールを決定することにより、ビーコンフレームの送信と送信の間の前記タイムスロットスケジュールを決定するステップであって、各タイムスロットは、ＰＰＤＵ（physical  layer  convergence  procedure  protocol  data  unit）の少なくとも１つの送信期間にＳＩＦＳ（short  inter  frame
space）を加えた時間期間である、ステップを更に有する請求項１に記載の方法。
【請求項５】
ビーコン間隔を１より多いタイムスロットに分けることにより、ビーコンフレームの送信と送信の間の前記タイムスロットスケジュールを決定するステップであって、各タイムスロットは、ＰＰＤＵ（physical  layer  convergence  procedure  protocol  data  unit）の少なくとも１つの送信期間にＳＩＦＳ（short  inter  frame  space）を加え、肯定応答フレームの送信期間を加えた時間期間である、ステップを更に有する請求項１に記載の方法。
【請求項６】
第１の無線通信装置であって、
少なくとも１つのプロセッサと、メモリと、媒体アクセス制御（medium  access  control：ＭＡＣ）レイヤロジックと、物理（physical：ＰＨＹ）レイヤロジックと、を有し、前記第１の無線通信装置は、
通信チャネルでビーコンを送信し、前記ビーコンは、ビーコン間隔に含まれるべき複数のタイムスロットのためのタイムスロットスケジュールを有し、前記第１の無線通信装置は、前記通信チャネルにアクセスするために他の無線通信装置に前記複数のタイムスロットを割り当て、
前記通信チャネルが前記複数のタイムスロットのうちの第１のタイムスロットのスロット境界でビジーでない場合、前記スロット境界で第１の同期フレームを送信し、前記スロット境界は、第２の無線通信装置が同期フレームを受信するために居眠り状態から覚醒する時間に対応する、
前記通信チャネルが前記第１のタイムスロットの前記スロット境界でビジーである場合、前記スロット境界で前記第１の同期フレームを送信しない、
第１の無線通信装置。
【請求項７】
前記ビーコン及び前記第１の同期フレームを送信するアンテナ、を更に有し、前記メモリは、前記タイムスロットスケジュールを格納する、請求項６に記載の第１の無線通信装置。
【請求項８】
前記ＭＡＣレイヤロジックに結合され、前記タイムスロットスケジュールを格納するメモリ、を更に有する請求項７に記載の第１の無線通信装置。
【請求項９】
前記ＭＡＣレイヤロジックは、２以上の他の通信装置間の有意な衝突確率を決定し、前記２以上の他の通信装置によるアクセスの分配を決定し、前記アクセスの分配を示すフレームを生成し、及び前記フレームを送信するよう前記ＰＨＹレイヤロジックに指示する、ロジックを有する、請求項６に記載の第１の無線通信装置。
【請求項１０】
前記ＭＡＣレイヤロジックは、タイムスロットを有する前記タイムスロットスケジュールを決定するロジックを有し、各タイムスロットは、ＰＰＤＵ（physical  layer  convergence  procedure  protocol  data  unit）の少なくとも１つの送信期間にＳＩＦＳ（short  inter  frame  space）を加え、肯定応答フレームの送信期間を加えた時間期間である、請求項６に記載の第１の無線通信装置。
【請求項１１】
前記ＰＨＹレイヤロジックは、６個以上の直交周波数分割多重シンボルを有する前記同期フレームを生成する、請求項６に記載の第１の無線通信装置。
【請求項１２】
無線ネットワーク上で装置の通信を協調する方法であって、
第１の通信装置により、第２の通信装置からビーコン間隔中のタイムスロットスケジュールを示す前記ビーコン間隔中の第１のビーコンフレームを受信し、前記第２の通信装置は、前記第１のビーコンフレームを有するチャネルにアクセスするために第１の通信装置にタイムスロットを割り当てる、ステップと、
前記第１の通信装置により、前記タイムスロットの境界で第１の同期フレームを受信するために、居眠り状態から覚醒状態へ覚醒するステップと、
前記ビーコン間隔中に前記チャネルに同期するために、前記第２の通信装置から前記第１の同期フレームを受信するステップと、
前記チャネルと同期した後に、前記第２の通信装置へ通信を送信するステップと、
を有する方法。
【請求項１３】
アクセスの分配を示す第２のビーコンフレームを受信するステップと、
前記アクセスの分配に基づくタイムスロットアクセスをメモリに格納するステップと、
他の同期フレームを受信するために、前記タイムスロットアクセスにおいて前記居眠り状態から覚醒するステップと、
を更に有する請求項１２に記載の方法。
【請求項１４】
前記第１の通信装置により、第２のビーコンフレームを受信するステップと、
前記第１の通信装置により、タイムスロットの境界において他の同期フレームを受信するために、前記居眠り状態から前記覚醒状態へ覚醒するステップと、
他の同期フレームの検出に失敗した後に、前記チャネルに同期するために、パケットを待つステップと、
を更に有する請求項１２に記載の方法。
【請求項１５】
前記第１の同期フレームを受信するステップは、６個以上の直交周波数分割多重シンボルを有する物理レイヤフレームを受信するのに応答して、前記チャネルに同期するステップを有する、請求項１２に記載の方法。
【請求項１６】
ネットワーク上で装置の通信を協調する装置であって、
少なくとも１つのプロセッサと、
メモリと、
第２の通信装置からビーコン間隔中のタイムスロットスケジュールを示す前記ビーコン間隔中の第１のビーコンフレームを受信し、第２の通信装置は、前記第１のビーコンフレームによりチャネルにアクセスするために第１の通信装置にタイムスロットを割り当て、前記タイムスロットの境界において前記第２の通信装置から第１の同期フレームを受信するために居眠り状態から覚醒状態へ覚醒する媒体アクセス制御ロジックと、
前記媒体アクセス制御ロジックに結合され、前記ビーコン間隔中に前記チャネルに同期するために前記第２の通信装置から前記第１の同期フレームを受信し、前記媒体アクセス制御ロジックに前記第１の同期フレームの受信を通知し、前記チャネルに同期した後に前記第２の通信装置へ通信を送信する物理レイヤロジックと、
を有する装置。
【請求項１７】
前記通信を送信するために前記物理レイヤロジックに結合されるアンテナ、を更に有する請求項１６に記載の装置。
【請求項１８】
前記媒体アクセス制御ロジックは、アクセスの分配を示す第２のビーコンフレームを受信し、前記アクセスの分配に基づくタイムスロットアクセスをメモリに格納し、他の同期フレームを受信するために前記タイムスロットアクセスにおいて前記居眠り状態から覚醒するロジックを有する、請求項１６に記載の装置。
【請求項１９】
前記媒体アクセス制御ロジックは、第２のビーコンフレームを受信し、タイムスロット境界で別の同期フレームを受信するために前記居眠り状態から前記覚醒状態へ覚醒し、他の同期フレームの検出に失敗した後に前記チャネルと同期するためにパケットを待つロジックを有する、請求項１６に記載の装置。
【発明の詳細な説明】
【技術分野】
【０００１】
本開示は、概して、無線通信技術の分野に関する。
【０００２】
より詳細には、本開示は、無線ネットワーク上の装置が居眠り（doze）状態から覚醒しチャネルに同期できるビーコン間隔中の時間の確立に関連する。
【発明の概要】
【発明が解決しようとする課題】
【０００３】
本発明は、無線ネットワーク内の通信を協調する方法及び装置を提供する。
【図面の簡単な説明】
【０００４】
【図１Ａ】複数の通信装置を有する無線ネットワークの一実施形態を示す。
【図１Ｂ】無線通信装置間の通信を確立する同期フレームの一実施形態を示す。
【図１Ｃ】無線通信装置間の通信を確立する、データペイロードを有しない同期フレームの代替の実施形態を示す。
【図１Ｄ】ビーコンフレーム間隔のタイムスロット境界を有する管理フレームの一実施形態を示す。
【図１Ｅ】無線通信装置間の通信を確立する、基地局アクセス分配情報を有する管理フレームの一実施形態を示す。
【図１Ｆ】図１Ａに示したシステムのタイムスロット境界を有するビーコン間隔の一実施形態を示す。
【図１Ｇ】図１Ａに示したシステムのタイムスロット境界を有するビーコン間隔の代替の実施形態を示す。
【図１Ｈ】図１Ａに示したシステムにおけるアクセスポイントのスロットロジックの一実施形態を示す。
【図１Ｉ】図１Ａに示したシステムにおけるアクセスポイントに関連する基地局の同期ロジックの一実施形態を示す。
【図２】通信を協調するための装置の一実施形態を示す。
【図３Ａ】通信を協調するためのフローチャートの実施形態を示す。
【図３Ｂ】通信を協調するためのフローチャートの実施形態を示す。
【図３Ｃ】通信を協調するためのフローチャートの実施形態を示す。
【図４】図２に示す通信を協調するためのフローチャートの一実施形態を示す。
【発明を実施するための形態】
【０００５】
以下は、添付の図面に示す新規な実施形態の詳細な説明である。しかしながら、提供される詳細の量は、記載の実施形態の予想される変形を制限するものではなく、むしろ、請求の範囲及び詳細な説明は添付の請求項により定められる全ての変更、等価物及び代替物を包含するものである。以下の詳細な説明は、当業者にこのような実施形態の理解を容易にし明確にすることを意図する。
【０００６】
概して、ネットワークにある装置の通信を協調する実施形態が記載される。実施形態は、衝突を減少させるために無線通信装置の通信を協調するハードウェア及び／又はコードのようなロジックを有しても良い。多くの実施形態は、アクセスポイントにおいてスロットロジックを実施することにより通信を協調する。スロットロジックは、ビーコン間隔のためのタイムスロットスケジュールを決定しても良い。多くの実施形態では、スロットロジックは、タイムスロット境界においてチャネルがアイドルである場合に、該タイムスロット境界の各々におけるデータペイロードを有しないフレームのような短い同期フレームを送信する。幾つかの実施形態では、チャネルがビジーである場合、スロットロジックは、同期フレームを送信しない。幾つかの実施形態では、スロットロジックは、１又は複数の装置間の有意な衝突確率を決定し、衝突の機会を低減するために該装置の１又は複数にそれらのチャネルアクセスをビーコン間隔に跨って拡散させるよう指示する分配ロジックを有しても良い。
【０００７】
更なる実施形態では、アクセスポイントに関連する基地局は、スロット境界で覚醒し、媒体に同期するために同期フレーム又は任意の他のパケットを待つ同期ロジックを有しても良い。このような実施形態は、基地局が同期フレームの受信に応答してチャネルに同期できるので、基地局の媒体同期時間を最小化することができる。多くの実施形態では、基地局は、電力消費を最小化するために、スロット境界の前に居眠り状態に留まり、覚醒（awake）状態において居眠り状態から覚醒しても良い。
【０００８】
幾つかの実施形態では、スロットロジックは、チャネルにアクセスするときに基地局が特定の又は異なるタイムスロットを使用すべきであることを示す、チャネルへの基地局のアクセスの分配を受信し及び解釈するスロット選択ロジックを有しても良い。チャネルにおいて基地局間の有意な衝突確率が存在する場合、例えば同じスロット境界で覚醒する場合、アクセスポイントは、基地局に、それら基地局のチャネルアクセスをビーコン間隔に亘り拡散するよう指示して、衝突の機会を最小化しても良い。スロット選択ロジックは、指示を解釈して、特定の又は異なるタイムスロットを用い及び対応するタイムスロットを決定しても良い。その後、基地局は、覚醒し、アクセスポイントから（チャネルがアクセスポイント側でアイドルであることを意味する）同期フレームを受信しても良い。次に、基地局は、ＤＩＦＳ（distributed  coordination  function  interframe  space）又はＡＩＦＳ（arbitration  interframe  space）及びバックオフの後にチャネルへのアクセスを開始し、パケットを送信しても良い。基地局は、アクセスポイントにより送信される同期フレームに同期されるので、基地局は、アクセスポイントにおいて他のデータ受信が存在しないことを決定でき、アクセスポイントへパケットを安全に送信できる。この処理は、基地局のチャネル同期時間を最小化し得る。例えば、チャネル同期時間は、基地局が同期フレームを受信するために費やす時間であっても良い。
【０００９】
他方で、基地局がスロット境界で覚醒し同期フレームを検出しない場合、これはチャネルがアクセスポイント側でビジーであることを意味し、基地局はチャネルに同期するためにパケットを待っても良い。この処理は、アクセスポイント側における起こり得る衝突を防ぐことができる。
【００１０】
種々の実施形態は、装置の通信を協調することに関連する異なる技術的問題を解決するために設計されても良い。例えば、幾つかの実施形態は、基地局をチャネルに同期させるような１又は複数の技術的問題を解決するために設計されても良い。基地局をチャネルに同期させる技術的問題は、アクセスポイントが別の基地局と通信しているか否かを基地局に通知することを含み得る。
【００１１】
上述のような異なる技術的問題は、１又は複数の異なる実施形態により解決され得る。例えば、基地局をチャネルに同期させることを解決するために設計される幾つかの実施形態は、ビーコンフレームの送信と送信の間にタイムスロットを確立するような１又は複数の技術的手段により、基地局をチャネルに同期させても良い。アクセスポイントが別の基地局と通信しているか否かを基地局に通知するよう設計される更なる実施形態は、対応するスロット境界で同期フレームを送信するような１又は複数の異なる技術的手段により、アクセスポイントが別の基地局と通信しているか否かを基地局に通知しても良い。他の利用可能な情報に基づきビーコン間隔中にタイムスロットを確立し得る更なる実施形態は、１より多いタイムスロットに亘りチャネルのアクセスを拡散させるよう基地局に指示するような１又は複数の異なる技術的手段により、ビーコン間隔中にタイムスロットを確立しても良い。
【００１２】
幾つかの実施形態は、ＩＥＥＥ（Institute  of  Electrical  and  Electronic  Engineers）８０２．１１ａｈシステムのために１ＭＨｚのチャネル帯域幅を実装する。このような実施形態における最低データレートは、約６．５メガビット毎秒（Ｍｂｐｓ）を２０で除算した３２５キロビット毎秒（Ｋｂｐｓ）であっても良い。２回反復コーディングが用いられる場合、最低データレートは１６２．５Ｋｂｐｓまで下がる。多くの実施形態では、ビーコン及び制御フレームの送信のために、最低ＰＨＹレートが用いられる。データレートの低下は送信範囲を増大し得るが、パケットを送信するために遙かに長い時間を要する。一実施形態によると、プロトコルの効率は、小型バッテリー式無線装置（例えばセンサ）が、非常に低い電力消費で、Ｗｉ−Ｆｉを用いて例えばインターネットに接続できるようにしても良い。
【００１３】
幾つかの実施形態は、Ｗｉ−Ｆｉ（Wireless  Fidelity）ネットワークの偏在性（ubiquity）を利用して、ユニークな特徴の中でも特に、非常に低い電力消費を要求する場合の多い新しいアプリケーションを可能にしても良い。Ｗｉ−Ｆｉは、通常、ＩＥＥＥ８０２．１１−２００７、IEEE  Standard  for  Information  technology−Telecommunications  and  information  exchange  between  systems−Local  and  metropolitan  area  networks−Specific  requirements−Part１１：Wireless  LAN  Medium  Access  Control  (MAC)  and  Physical  Layer  (PHY)  Specifications  (http://standards.ieee.Org/getieee８０２/download/８０２.１１−２００７.pdf)及び他の関連する無線規格を実装する装置を表す。
【００１４】
幾つかの実施形態は、セルラオフローディング装置、ルータ、スイッチ、サーバ、ワークステーション、ノートブック、モバイル装置（ラップトップ、スマートフォン、タブレット、等）のようなアクセスポイント（ＡＰ）及び／又はＡＰのクライアント装置又は他の基地局（ＳＴＡ）、並びにセンサ、メータ、コントローラ、機器、モニタ、電気製品、等を有する。幾つかの実施形態は、例えば、屋内及び／又は屋外の「スマート」グリッド及びセンササービスを提供しても良い。例えば、幾つかの実施形態は、特定領域内にある１又は複数の家の電気、水道、ガス及び／又は他の設備の使用量を計測し、及びこれらのサービスの使用量を計測支局へ無線で送信するセンサからデータを収集するために計測基地局を提供しても良い。更なる実施形態は、転倒検出、薬瓶監視、体重監視、睡眠時無呼吸、血糖レベル、心調律、等のような健康管理に関連するイベント及び患者の生体的兆候を監視するために、家庭での健康管理、診療所、又は病院のセンサからデータを収集しても良い。このようなサービスのために設計される実施形態は、通常、ＩＥＥＥ８０２．１１ｎ／ａｃシステムで提供される装置よりも非常に低いデータレート及び非常に低い（超低）電力消費を必要とする。
【００１５】
本願明細書に記載のロジック、モジュール、装置及びインタフェースは、ハードウェア及び／又はコードで実装されても良い機能を実行しても良い。ハードウェア及び／又はコードは、該機能を達成するために設計されるソフトウェア、ファームウェア、マイクロコード、プロセッサ、状態機械、チップセット、又はそれらの組合せを有しても良い。
【００１６】
実施形態は、無線通信を容易にし得る。幾つかの実施形態は、そのような装置間の相互作用を実現するために、Ｂｌｕｅｔｏｏｔｈ（登録商標）、ＷＬＡＮ（wireless  local  area  network）、ＷＭＡＮ（wireless  metropolitan  area  network）、ＷＰＡＮ（wireless  personal  area  network）、セルラネットワーク、ネットワーク内通信、メッセージングシステム、及びスマート装置のような低電力無線通信を有しても良い。さらに、幾つかの無線の実施形態は単一のアンテナを組み込んでも良く、一方で他の実施形態は複数のアンテナを利用しても良い。１又は複数のアンテナは、無線波を送信及び／又は受信するために、プロセッサ及び無線機と結合しても良い。例えば、ＭＩＭＯ（multiple−input  and  multiple−output）は、通信性能を向上させるために送信機と受信機の両方で複数のアンテナを介して信号を伝達する無線チャネルを使用する。
【００１７】
以下に記載する特定の実施形態のうちの幾つかは、特定の構成を有する実施形態を参照するが、当業者は、本開示の実施形態が同様の課題又は問題を有する他の構成と共に有利に実施されても良いことを理解する。
【００１８】
図１Ａを参照すると、無線通信システム１０００の一実施形態が示される。無線通信システム１０００は、有線及び無線でネットワーク１００５に接続されても良い通信装置１０１０を有する。通信装置１０１０は、ネットワーク１００５を介して複数の通信装置１０３０、１０５０、及び１０５５と無線で通信しても良い。通信装置１０１０は、アクセスポイントを有しても良い。通信装置１０３０、１０３０、１０５０は、センサ、消費者電子装置、個人向けモバイル装置、等のような低電力通信装置を有しても良い。例えば、通信装置１０１０は、民家の近所の水道消費のための計測支局を有しても良い。近所にある家の各々は、通信装置１０３０、１０５０及び１０５５のようなセンサを有しても良く、通信装置１０３０、１０５０及び１０５５は、水道メータ使用量メータと統合され又はそれに結合されても良い。
【００１９】
幾つかの実施形態では、通信装置１０１０は、ビーコン間隔中のタイムスロットを決定し及び該タイムスロットを通信装置１０１０に関連付けられる又は通信装置１０１０との関連付けを要求する通信装置１０３０、１０５０及び１０５５のような装置へ送信するスロットロジックを有しても良い。タイムスロットは、タイムスロット境界を有しても良く、基地局からの最大ＰＰＤＵ（physical  layer  convergence  procedure  protocol  data  unit）送信の少なくとも１つの送信時間、ＳＩＦＳ（short  inter  frame  space）、及びアクセスポイントからのＡＣＫ（acknowledgement）送信の時間長を有しても良い。更なる実施形態では、タイムスロットは、ネットワークでの平均若しくは中間ＰＰＤＵ送信又はネットワークでの最大ＰＰＤＵ送信のような少なくとも１つのＰＰＤＵ送信にＳＩＦＳを加えた送信時間期間を有する境界を有しても良い。そして、更に他の実施形態では、タイムスロットは、少なくとも１つのＰＰＤＵ送信又は１より少ないのＰＰＤＵ送信の送信のための時間期間であっても良い。多くの実施形態では、スロットロジック１０１５は、メモリ１０１１にタイムスロット情報を格納しても良い。
【００２０】
幾つかの実施形態では、スロットロジック１０１５は、物理レイヤロジック１０１９に、１又は複数のビーコンフレーム１０１４の送信の中のタイムスロット境界のようなタイムスロット情報を、通信装置１０１０に関連する全ての装置へ送信するよう指示しても良い。更なる実施形態では、スロットロジック１０１５は、ビーコンフレーム１０１４の送信と送信の間のタイムスロット境界で同期フレームも送信しても良い。各タイムスロット境界では、チャネルがアイドルであり、通信装置１０１０（ＡＰ）は通信装置１０３０、１０５、及び１０５５のような基地局（ＳＴＡ）のうちの１つと通信していない。例えば、通信装置１０１０は、ＤＣＦ（distributed  coordination  function）ルールに従っても良い。ＩＥＥＥ８０２．１１媒体アクセス制御（medium  access  control：ＭＡＣ）の基本的アクセス方法は、ＣＳＭＡ／ＣＡ（carrier  sense  multiple  access  with  collision  avoidance）として知られるＤＣＦである。ＤＣＦは、ＩＢＳＳ（independent  basic  service  set）及びインフラネットワーク構成の両方の範囲内で使用するために、ＡＰを含む全てのＳＴＡに実装されても良い。ＤＣＦルールに従うために、通信装置１０１０は、別のＳＴＡが送信しているかどうかを決定するためにチャネル（又は媒体）を検知しても良い。チャネルがビジーであると決定されない場合、送信は進められても良い。ＣＳＭＡ／ＣＡ分散型アルゴリズムは、最小指定期間のギャップが連続するフレームシーケンス間に存在することを義務付ける。したがって、通信装置１０１０は、同期フレームを送信しようと試みる前に、この要求される期間の間、チャネルがアイドルであることを保証できる。
【００２１】
同期フレームは、チャネルが現在アイドルであることを示す又はそのことの指示として解釈されるフレームであっても良く、基地局をチャネルに同期させるためのトレーニングシーケンスを含んでも良い。幾つかの実施形態では、同期フレームは、ＭＡＣサブレイヤフレームをペイロードとして含まない物理レイヤ（physical  layer：ＰＨＹ）フレームを有しても良い。例えば、通信装置１０１０のＭＡＣサブレイヤロジック１０１８は、ＰＨＹロジック１０１９に、同期フレームを送信するよう指示しても良い。しかし、ＭＡＣサブレイヤロジック１０１８は、パケットに含むためにＭＡＣフレームを提供しなくても良い。
【００２２】
多くの実施形態では、ペイロードデータを有しない同期フレームは、６個の直交周波数分割多重（orthogonal  frequency  division  multiplexing:ＯＦＤＭ）シンボルを有しても良い。例えば、スロットサイズが約０ミリ秒の長さである場合、同期フレームの長さは、シンボル長、例えば４０マイクロ秒の６シンボル倍であり、例えば合計２４０マイクロ秒であっても良い。このような実施形態は、タイムスロット境界での同期フレームの送信のために、オーバヘッドで例えば１．２パーセントを通信トラフィックに追加し得る。
【００２３】
他の実施形態では、同期フレームは、より多くの又はより少ないシンボルを有しても良く、このような実施形態の幾つかでは、同期フレームは、ペイロードとしてＭＡＣ  ＰＤＵ（MAC  protocol  data  unit）を有しても良い。
【００２４】
通信装置１０３０のような基地局では、データを通信装置１０１０へ送信するために、低電力消費状態から覚醒することを決定しても良い。幾つかの実施形態では、通信装置１０３０、１０５０、１０５５のような基地局は、それぞれ、タイムスロット境界で居眠り状態から覚醒状態に覚醒することを決定し、チャネルに同期するために同期フレームを受信するために、及びチャネルに同期した後に通信装置１０１０へパケットを送信するために、スロットロジック１０３４、１０５１、１０５６を有しても良い。幾つかの実施形態では、同期フレームの送信はチャネルがアイドルであることを示すので、通信装置１０３０は、同期フレームを受信するとチャネルに同期しても良い。
【００２５】
幾つかの状況では、アクセスポイントに関連付けられた１より多い基地局のスロットロジックは、アクセスポイントへパケットを送信するために同じタイムスロット境界で覚醒することを決定しても良い。多くの実施形態では、通信装置１０１０のようなアクセスポイントは、１又は複数の基地局に関連する通信有意な衝突確率を決定し、及び衝突の発生を軽減するためにチャネルアクセスを拡散させるよう基地局に指示する分配ロジックを有しても良い。例えば、通信装置１０１０は、衝突が検出された場合に、１より多い衝突が検出された場合に、１より多い衝突が所定の時間期間内に検出された場合に、１より多い衝突が同じ基地局による通信に関連する場合に、衝突が５パーセントより高い発生確率を有する場合に、衝突が１０パーセントより高い発生確率を有する場合に、衝突が５０パーセントより高い発生確率を有する場合に、衝突が７５パーセントより高い発生確率を有する場合に、基地局の大部分が送信のために同じタイムスロットを選択する場合に、有意な衝突確率を決定しても良い。
【００２６】
衝突の有意な発生確率を決定した後に、分配ロジックは、通信装置１０１０に関連付けられた基地局によるアクセスを拡散させるために、基地局アクセス分配を決定しても良い。幾つかの実施形態では、基地局アクセス分配は、有意な衝突確率に関連する１又は複数の基地局による通信に影響を与え得る。更なる実施形態では、基地局アクセス分配は、通信装置１０１０に関連付けられた全ての基地局による通信に影響を与え得る。幾つかの実施形態では、分配ロジックは、衝突の確率又は検出に基づき、関連する基地局の各々を特定のタイムスロットに割り当てても良く、及び初めの配置の後に更なる衝突が発生した場合に配置を更新しても良い。例えば、通信装置１０１０に関連する基地局によるアクセスを拡散するために基地局アクセス分配を生成した後に、通信装置１０１０の分配ロジックは、特定の基地局と１又は複数の他の基地局との間で、衝突を検出し又は有意な衝突確率を決定しても良い。これに応答して、分配ロジックは、特定の基地局のための異なるタイムスロットへの新しい又は更新された配置を決定し、及び更新された基地局アクセス分配を基地局へ１又は複数の連続フレームで送信しても良い。
【００２７】
通信装置１０３０が覚醒し、通信装置１０１０から同期フレーム（ＡＰ側でチャネルがアイドルであることを意味する）を受信する場合、通信装置１０３０は、ＤＩＦＳ（又はＡＩＦＳ）及び次にバックオフで開始することによりチャネルへのアクセスを開始する。その後、通信装置１０１０は、パケットを送信しても良い。通信装置１０３０が通信装置１０１０により送信された同期フレームに同期されて以来、通信装置１０３０は、通信装置１０１０において他のデータ受信が存在しないことを決定しても良い。したがって、通信装置１０３０は、チャネルにアクセスするための同期時間を最小化しながら、通信装置１０１０へパケットを安全に送信できる。
【００２８】
他方で、通信装置１０３０がスロット境界で覚醒し且つ同期フレームを受信しない場合、通信装置１０１０側でチャネルはビジーであっても良い。したがって、通信装置１０３０は、通信装置１０１０側で起こり得る衝突を防ぐ又は低減するために、ProbeDelay時間の間、チャネルに同期するためにパケットを待っても良い。
【００２９】
多くの実施形態では、通信装置１０１０は、データオフローディングを実現しても良い。例えば、低電力センサである通信装置は、例えば計測基地局へのアクセスを待つ際に及び／又は帯域幅の利用可能性を増大する際に消費される電力消費を低減する目的で、例えばＷｉ−Ｆｉ、別の通信装置、セルラネットワーク、等を介して通信するためにデータオフローディングスキームを有しても良い。計測基地局のようなセンサからデータを受信する通信装置は、ネットワーク１００５の輻輳を低減する目的で、例えばＷｉ−Ｆｉ、別の通信装置、セルラネットワーク、等を介して通信するために、データオフローディングスキームを有しても良い。
【００３０】
ネットワーク１００５は、多数のネットワークの相互接続を表しても良い。例えば、ネットワーク１００５は、インターネットのような広域ネットワーク又はイントラネットに結合されても良く、１又は複数のハブ、ルータ又はスイッチを介して有線又は無線で相互接続されるローカル装置を相互接続しても良い。本実施形態では、ネットワーク１００５は、通信装置１０１０、１０３０、１０５０、１０５５を通信可能に結合する。
【００３１】
通信装置１０１０及び１０３０は、メモリ１０１１及び１０３１と、ＭＡＣサブレイヤロジック１０１８及び１０３８と、をそれぞれ有する。メモリ１０１１及び１０３１は、ＤＲＡＭ（Dynamic  Random  Access  Memory）、ＲＯＭ（read  only  memory）、バッファ、レジスタ、キャッシュ、フラッシュメモリ、ハードディスクドライブ、固体ドライブ、等のような記憶媒体を有しても良い。メモリ１０１１及び１０３１は、管理フレームのようなフレーム、及び／又はフレーム構造を格納しても良い。多くの実施形態では、メモリ１０１１及び１０３１は、ビーコンフレーム、関連付け要求フレーム、及び関連付け応答フレームのような管理フレームを格納しても良い。これらのフレームは、ＩＥＥＥ８０２．１１で特定される標準フレーム構造の構造に基づくフィールドを有しても良い。
【００３２】
図１Ｂは、同期フレームのＰＰＤＵ（physical  layer  protocol  data  unit）１０６０の一実施形態を示す。ＰＰＤＵ１０６０は、図１Ａの通信装置１０１０、１０３０、１０５０、１０５５のような無線通信装置間の通信を確立するためのプリアンブル構造１０６２を有する。ＰＰＤＵ１０６０は、プリアンブル構造１０６２を有しても良い。プリアンブル構造１０６２は、単一のＭＩＭＯ（multiple  input,  multiple  output）ストリームのための直交周波数分割多重（orthogonal  frequency  division  multiplexing：ＯＦＤＭ）トレーニングシンボルを含み、その次に単一のフィールドが続き、その次に追加ＭＩＭＯストリームのための追加ＯＦＤＭトレーニングシンボルが続く。プリアンブル構造１０６２の次に、データペイロードが続いても良い。特に、ＰＰＤＵ１０６０は、ＳＴＦ（short  training  field）１０６４、ＬＴＦ（long  training  field）１０６６、ＳＩＧ１０６８、追加ＬＴＦ１０６９、及びデータ１０７０を有しても良い。ＳＴＦ１０６４は、０．８マイクロ秒（μｓ）のＮ倍の長さである１０個の短いトレーニングシンボルのような多数の短いトレーニングシンボルを有しても良い。ここで、Ｎは２０ＭＨｚチャネル空間からのダウンクロック係数を表す整数である。例えば、タイミングは、１０ＭＨｚチャネル空間では２倍である。２０ＭＨｚチャネル空間におけるＳＴＦ１０６４の合計時間フレームは、８μｓのＮ倍である。
【００３３】
ＬＴＦ１０６６は、ＧＩ（guard  interval）シンボル及び２個の長いトレーニングシンボルを有しても良い。ＧＩシンボルは、１．６のＮ倍の期間を有し、長いトレーニングシンボルの各々は、２０ＭＨｚチャネル空間で３．２のＮ倍の期間を有しても良い。２０ＭＨｚチャネル空間におけるＬＴＦ１０６６の合計時間フレームは、８μｓのＮ倍である。
【００３４】
ＳＩＧ１０６８は、０．８μｓのＮ倍の位置にＧＩシンボルを、及び７．２μｓのＮ倍の位置に信号フィールドシンボルを有しても良い。本実施形態では、同期フレームは、追加ＬＴＦ１０６９を有しても良い。追加ＬＴＦ１０６９は、必要な場合には、２０ＭＨｚチャネル空間で４μｓのＮ倍の位置に、追加ＭＩＭＯストリームのために１又は複数のＬＴＦシンボルを有しても良い。データ１０７０は、１又は複数のＭＰＤＵ（MAC  sublayer  protocol  data  unit）を有しても良く、１又は複数のＧＩを有しても良い。例えば、データ１０７０は、２０ＭＨｚチャネル空間で０．８μｓのＮ倍の位置に１つのＧＩシンボルを含み２０ＭＨｚチャネル空間で３．２μｓのＮ倍の位置にペイロードデータが続く１又は複数のシンボルセットを有しても良い。
【００３５】
図１Ｃは、データペイロードを有しない（no  data  payload：ＮＤＰ）同期フレームのＰＰＤＵ（physical  layer  protocol  data  unit）１０８０の代替の実施形態を示す。ＰＰＤＵ１０８０は、図１Ａの通信装置１０１０、１０３０、１０５０、１０５５のような無線通信装置間の通信を確立するためのプリアンブル構造１０８２を有する。ＰＰＤＵ１０８０は、単一のＭＩＭＯ（multiple  input,  and  multiple  output）ストリームのための直交周波数分割多重（orthogonal  frequency  division  multiplexing：ＯＦＤＭ）トレーニングシンボルとその次に続く信号フィールドを含むプリアンブル構造１０８２を有しても良い。特に、ＰＰＤＵ１０８０は、ＳＴＦ（short  training  field）１０６４、ＬＴＦ（long  training  field）１０６６、ＳＩＧ１０６８を有しても良い。
【００３６】
図１Ｄは、図１Ａの無線通信装置１０１０、１０３０、１０５０、１０５５のような無線通信装置間の通信のための管理フレーム１１００の一実施形態を示す。管理フレーム１１００は、ＭＡＣヘッダ１１０１、フレーム本体１１１４、ＦＣＳ（frame  check  sequence）フィールド１１２６を有しても良い。ＭＡＣヘッダ１１０１は、フレーム制御フィールド１１０２及び他のＭＡＣヘッダフィールド１１０８を有しても良い。フレーム制御フィールド１１０２は、２オクテットであっても良く、管理タイプ及び例えばビーコンフレームサブタイプのようなフレームのタイプ及びサブタイプを識別しても良い。他のＭＡＣヘッダフィールド１１０８は、例えば、１又は複数のアドレスフィールド、識別情報フィールド、制御フィールド、等を有しても良い。
【００３７】
幾つかの実施形態では、管理フレーム１１００は、フレーム本体１１１４を有しても良い。フレーム本体１１１４は、可変オクテット数であっても良く、データエレメント、制御エレメント又はパラメータ及び能力を有しても良い。本実施形態では、フレーム本体１１１４は、タイムスロット境界フィールド１１２０を有する。タイムスロット境界フィールド１１２０は、装置がチャネルにアクセスしチャネルに同期化されるために、ビーコン間隔のための１又は複数のタイムスロットの指示を有しても良い。
【００３８】
図１Ｅは、図１Ａの無線通信装置１０１０、１０３０、１０５０、１０５５のような無線通信装置間の通信のための管理フレーム１２００の一実施形態を示す。管理フレーム１２００は、ＭＡＣヘッダ１２０１、フレーム本体１２１４、ＦＣＳ（frame  check  sequence）フィールド１２２６を有しても良い。ＭＡＣヘッダ１２０１は、フレーム制御フィールド１２０２及び他のＭＡＣヘッダフィールド１２０８を有しても良い。フレーム制御フィールド１２０２は、２オクテットであっても良く、管理タイプ及び例えばビーコンフレームサブタイプのようなフレームのタイプ及びサブタイプを識別しても良い。他のＭＡＣヘッダフィールド１２０８は、例えば、１又は複数のアドレスフィールド、識別情報フィールド、制御フィールド、等を有しても良い。
【００３９】
幾つかの実施形態では、管理フレーム１２００は、フレーム本体１２１４を有しても良い。フレーム本体１２１４は、可変オクテット数であっても良く、データエレメント、制御エレメント又はパラメータ及び能力を有しても良い。本実施形態では、フレーム本体１２１４は、基地局アクセス分配フィールド１２２０を有する。基地局アクセス分配フィールド１２２０は、チャネルでのビーコンフレーム間隔同士の間のタイムスロットに亘り１又は複数の基地局の配置の分配の指示を有しても良い。幾つかの実施形態では、タイムスロット境界フィールド１１２０のようなタイムスロット境界フィールドは、フレーム本体１２１４に含まれても良い。
【００４０】
図１Ｆは、図１Ａに示したシステムの図１Ｄに示したタイムスロット境界のようなタイムスロット境界１３１０を有するビーコン１３００間隔の一実施形態を示す。ビーコン１３００間隔は、ビーコン１３００同士の間の時間期間を有しても良い。ビーコン１３００間隔の間、通信装置１０１０のようなアクセスポイントは、チャネルがアイドルである各スロット境界において、同期フレーム１３１０を送信しても良い。
【００４１】
本実施形態では、ＡＰに関連する基地局は、タイムスロット境界１３２０において居眠り状態から覚醒状態に覚醒し１３３０、通信装置１０１０から同期フレーム１３４０を受信する。基地局は、タイムスロット境界で覚醒した後に、ＤＩＦＳ（distributed  (coordination  function)  inter  frame  space）又は任意のＡＩＦＳ（arbitration  inter  frame  space）及びランダムバックオフのようなバックオフでチャネルへのアクセスを開始することにより、ＤＣＦ（distributed  coordination  function）ルールに従っても良い。その後、基地局はデータを送信しても良く、通信装置１０１０のようなアクセスポイントは、ＡＣＫ（acknowledgement）でデータの受信に応答しても良い。
【００４２】
図１Ｆは、図１Ａに示したシステムのタイムスロット境界１４１０を有するビーコン１４００間隔の一実施形態を示す。第２のスロット境界で、基地局Ｘは、ＤＣＦルールに従ってチャネルへのアクセスを開始する。基地局Ｘは、データを送信する前に、ＤＩＦＳ及びバックオフで開始しても良い。データ送信は、後続のスロット境界１４３０を過ぎて継続する。したがって、チャネルは、後続のスロット境界１４３０においてビジーであり、ＡＰはスロット境界１４３０において同期フレームを生成も送信もしない。基地局Ｎは、スロット境界１４３０で同期フレームを受信するために覚醒するが、同期フレームを受信しない。したがって、基地局Ｎは、チャネルに同期するために別のパケットを受信するのを待つ。この別のパケットは、データの受信に肯定応答するために、ＡＰにより基地局Ｘへ送信されるＡＣＫ（acknowledgement）である。
【００４３】
ＡＰが肯定応答（acknowledgement：ＡＣＫ）を送信した後、基地局Ｎは、ＡＰから送信されたＡＣＫ内のＮＡＶ（network  allocation  vector）に基づき、チャネルに同期する。次に、基地局Ｎは、ＡＰへデータを送信し始め、後続のタイムスロット境界の前にＡＣＫを受信する。
【００４４】
図１Ｈは、図１Ａに示したスロットロジック１０１５のようなスロットロジック１５００の一実施形態を示す。スロットロジック１５００は、ビーコン間隔をタイムスロットに分けるタイムスロットスケジュールを決定しても良い。多くの実施形態では、スロットロジック１５００は、ＰＰＤＵ（physical  layer  convergence  procedure  protocol  data  unit）の少なくとも１つの送信期間にＳＩＦＳ（short  inter  frame  space）を加え、ＡＣＫ（acknowledgement）フレームの送信期間を加えた時間期間になるよう、各タイムスロットを決定しても良い。幾つかの実施形態では、スロットロジック１５００は、ＰＰＤＵの少なくとも１つの送信期間にＳＩＦＳを加えた時間期間になるよう各タイムスロットを決定しても良い。幾つかの実施形態では、ＰＰＤＵの送信のための時間期間は、ＢＳＳ（basic  service  set）内のＰＰＤＵのための最大送信期間であっても良い。他の実施形態では、ＰＰＤＵの送信のための時間期間は、ＢＳＳ内のＰＰＤＵのための中間又は平均送信期間であっても良い。
【００４５】
スロットロジック１５００は、分配ロジック１５０５を有しても良い。分配ロジック１５０５は、２以上の通信装置間の有意な衝突確率を決定し、２以上の通信装置によるアクセスの分配を決定し、アクセスの分配を示すフレームを生成し、フレームを通信装置１０３０、１０５０、１０５５のような２以上の通信装置へ送信するよう物理レイヤロジックに指示する。例えば、分配ロジック１５０５は、ＢＳＳ内で装置からの通信との衝突を検出しても良い。幾つかの実施形態では、分配ロジック１５０５は、衝突が有意な衝突確率を示すことを決定しても良い。更なる実施形態では、１より多い衝突、又は同じ装置に関連する１より多い衝突は、有意な衝突確率を表しても良い。
【００４６】
幾つかの実施形態では、分配ロジック１５０５は、必ずしも衝突を検出することなく、有意な衝突確率を決定しても良い。例えば、分配ロジック１５０５は、装置数、装置種類、装置から受信される信号の相対強度、チャネル上のトラフィック量、非周期的トラフィック量、周期的トラフィック量、等のような要因を決定しても良い。
【００４７】
これらの要因の１若しくは複数又は全部に基づき、分配ロジック１５０５は、衝突確率を計算しても良い。幾つかの実施形態では、衝突確率が僅かでない場合、確率は有意であると考えられても良い。幾つかの実施形態では、有意な確率は、少なくとも１パーセントの確率を有しても良い。幾つかの実施形態では、パーセンテージは５０パーセントより高くても良い。更なる実施形態では、有意な確率のパーセンテージは、９０パーセントより高く又は９９パーセントより高くても良い。
【００４８】
図１Ｉは、図１Ａに示した同期ロジック１０３４のような同期ロジック１６００の一実施形態を示す。幾つかの実施形態では、同期ロジック１６００は、タイムスロットスケジュールを示すアクセスポイントからの第１のビーコンフレームを受信しても良い。タイムスロットスケジュールは、ビ―コンフレームの送信と送信の間の１又は複数のタイムスロットを示しても良い。次に、同期ロジック１６００は、居眠り状態から覚醒状態へ覚醒して、タイムスロットの境界で第１の同期フレームを受信し、物理レイヤロジックから第１の同期フレームの受信の指示を受信し、それに応答して、アクセスポイントへパケットを送信するためにチャネルのアクセスを開始しても良い。幾つかの実施形態では、同期ロジック１６００は、アクセスポイントから第２のビーコンフレームを受信し、居眠り状態から覚醒状態へ覚醒してタイムスロット境界で別の同期フレームを受信し、別の同期フレームの検出に失敗した後にチャネルと同期するためにパケットを待つロジックを有しても良い。
【００４９】
幾つかの実施形態では、同期ロジック１６００は、基地局アクセスの分配を示すビーコンフレームを受信し、アクセスの分配に基づきタイムスロットアクセスをメモリに格納し、別の同期フレームを受信するためにタイムスロットアクセスのときに居眠り状態から覚醒するスロット選択ロジック１６０５を有しても良い。例えば、基地局は、基地局とアクセスポイントとの間の通信中に、ネットワークにある別の装置との衝突を有しても良い。アクセスポイントは、基地局がチャネルに再びアクセスするとき、別の衝突の有意な確率が存在すると決定しても良い。したがって、アクセスポイントは、基地局アクセスの分配を生成し、ネットワークの装置へ送信しても良い。基地局アクセスの分配は、基地局が５番目のタイムスロットのような特定のタイムスロットでチャネルにアクセスすべきであるという指示を含み、又は基地局が１番目のタイムスロットの後のタイムスロット中にチャネルにアクセスすべきであるという指示を有しても良い。スロット選択ロジック１６０５は、分配を受信し、基地局が１番目のタイムスロット以外のタイムスロット中にチャネルにアクセスすべきであると決定し、このような指示をメモリに格納しても良い。次に、スロット選択ロジック１６０５は、２番目のタイムスロットを、次のビーコン間隔中にチャネルにアクセスすべきタイムスロットとして選択しても良い。そして、２番目のタイムスロットで、スロット選択ロジック１６０５は、同期フレームを受信するために、基地局を居眠り状態から覚醒状態へ覚醒させても良い。
【００５０】
再び図１Ａを参照すると、ＭＡＣサブレイヤロジック１０１８、１０３８は、通信装置１０１０、１０３０のデータリンクレイヤのＭＡＣサブレイヤの機能を実装するロジックを有しても良い。ＭＡＣサブレイヤ１０１８、１０３８は、管理フレーム、データフレーム、及び制御フレームのようなフレームを生成しても良く、フレーム１０１４を送信するためにＰＨＹロジック１０１９、１０３９と通信しても良い。ＰＨＹロジック１０１９、１０３９は、フレーム１０１４のようなフレームに基づきＰＰＤＵ（physical  layer  protocol  data  unit）を生成しても良い。より具体的には、フレームビルダ１０１３及び１０３３はフレームを生成し、ＰＨＹロジック１０１９、１０３９はフレームをプリアンブルでカプセル化して、通信機（ＲＸ／ＴＸ）１０２０及び１０４０のような物理レイヤ装置を介して送信するためにＰＰＤＵを生成しても良い。
【００５１】
フレーム１０１４は、ＭＳＤＵ（MAC  layer  Service  Data  Unit）としても表され、管理フレームを有しても良い。例えば、フレームビルダ１０１３は、サポートされるデータレート、プライバシ設定、ＱｏＳ（quality  of  service）、省電力機能、クロスサポート、及び通信装置１０３０にネットワークを識別させるネットワークのＳＳＩＤ（service  set  identification）のような能力を有するとして通信装置１０１０を識別するために、ビーコンフレームのような管理フレームを生成しても良い。幾つかの実施形態では、各ビーコンフレーム又は決定されたビーコンフレーム数は、図１Ｄのタイムスロット境界フィールド１１２０及び図１Ｅの基地局アクセス分配フィールド１２２０のようなタイムスロット情報エレメント及び／又は基地局アクセス分配情報エレメントを有しても良い。更なる実施形態では、ＰＨＹロジック１０１９は、ＭＡＣサブレイヤロジック１０１８からの指示に応答して、同期フレームを生成し、タイムスロット境界で送信しても良い。
【００５２】
通信装置１０１０、１０３０、１０５０及び１０５５は、それぞれ、通信機１０２０及び１０４０のような通信機を有しても良い。各通信機１０２０、１０４０は、ＲＦ送信機とＲＦ受信機とを含む無線機１０２３、１０４３を有する。各ＲＦ送信機は、電磁放射によるデータ送信のために、ＲＦ周波数にデジタルデータを乗せる。ＲＦ受信機は、ＲＦ周波数で電磁エネルギを受信し、そこからデジタルデータを抽出する。
【００５３】
図１Ａは、例えば、４個の空間ストリームを有するＭＩＭＯ（Multiple−Input,  Multiple−Output）システムを含む多数の異なる実施形態を示し、通信装置１０１０、１０３０、１０５０及び１０５５のうちの１又は複数がＳＩＳＯ（Single−Input,  Single−Output）システム、ＳＩＭＯ（Single−Input,  Multiple−Output）システム、及びＭＩＳＯ（Multiple−Input,  Single−Output）システムを含む単一のアンテナを備える受信機及び／又は送信機を有する縮退したシステムを示し得る。
【００５４】
多くの実施形態では、通信機１０２０及び１０４０は、直交周波数分割多重（orthogonal  frequency  division  multiplexing：ＯＦＤＭ）を実装する。ＯＦＤＭは、複数のキャリア周波数にデジタルデータを符号化する方法である。ＯＦＤＭは、デジタルマルチキャリア変調方法として用いられる周波数分割多重方式である。多数の空間的に近い直交サブキャリア信号が、データを伝達するために用いられる。データは、各サブキャリアに１つずつ、幾つかの並行するデータストリーム又はチャネルに分割される。各サブキャリアは、低シンボルレートで変調スキームにより変調され、全体のデータレートは、同じ帯域幅の中で従来の単一キャリア変調方式と同様に維持される。
【００５５】
ＯＦＤＭシステムは、データ、パイロット、ガード及び無効化を含む機能のために、幾つかのキャリア、又は「トーン」を用いる。データトーンは、チャネルのうちの１つを介して、送信機と受信機との間で情報を転送するために用いられる。パケットトーンは、チャネルを維持するために用いられ、時間／周波数及びチャネル追跡に関する情報を提供しても良い。ガードインターバルは、マルチパス歪みから生じ得るＩＳＩ（inter−symbol  interference）を回避するために、送信中にＳＴＦ（short  training  field）シンボル及びＬＴＦ（long  training  field）シンボルのようなシンボル間に挿入されても良い。ガードトーンは、信号をスペクトルマスクに一致させるのを助ける。直流成分（ＤＣ）の無効化は、直流変換受信機の設計を簡略化するために用いられても良い。
【００５６】
幾つかの実施形態では、通信装置１０１０は、任意で、破線により示されるようなデジタルビーム形成器（Digital  Beam  Former：ＤＢＦ）１０２２を有する。ＤＢＦ１０２２は、無線機１０２３、１０４３を介してアンテナアレイ１０２４の要素に適用されるべき信号に、情報信号を変換する。アンテナアレイ１０２４は、個々の別個に励起可能なアンテナ要素のアレイである。アンテナアレイ１０２４の要素に適用される信号は、アンテナアレイ１０２４に１乃至４個の空間チャネルを放射させる。したがって、各空間チャネルは、通信装置１０３０、１０５０及び１０５５のうちの１又は複数に情報を伝達しても良い。同様に、通信装置１０３０は、通信装置１０１０から信号を受信し及び通信装置１０１０へ信号を送信するために通信機１０４０を有する。通信機１０４０は、アンテナアレイ１０４４、及び任意でＤＢＦ１０４２を有しても良い。
【００５７】
図２は、フレームを生成し、通信し、送信し、受信し、通信し、及び解釈する装置の一実施形態を示す。装置は、媒体アクセス制御（medium  access  control：ＭＡＣ）サブレイヤロジック２０１に結合される通信機２００を有する。ＭＡＣサブレイヤロジック２０１は、管理フレームのようなフレームを決定し、物理レイヤ（physical  layer：ＰＨＹ）ロジック２５０へフレームを送信しても良い。ＰＨＹロジック２５０は、プリアンブルを決定し通信機２００を介して送信するためにプリアンブルでフレームをカプセル化することにより、ＰＰＤＵ（physical  layer  convergence  procedure  protocol  data  unit）を決定しても良い。
【００５８】
多くの実施形態では、ＭＡＣサブレイヤロジック２０１は、フレーム又はＭＰＤＵ（MAC  protocol  data  unit）を生成するためにフレームビルダ２０２を有しても良い。次に、ＭＡＣサブレイヤロジック２０１は、応答フレームを受信し、パースし、解釈しても良い。多くの実施形態では、ＭＡＣサブレイヤロジック２０１は、受信パケットの時間長、ネットワーク内の基地局の種類（センサ型装置、セルラオフローディング装置、又は両方の種類の混合）、又は利用可能な他の情報の統計に基づき、基地局アクセス分配を決定するためのロジックを有しても良い。次に、ＭＡＣサブレイヤロジック２０１は、基地局アクセス分配を有するビーコンフレームのような管理フレームを生成し、管理フレームを送信するようＰＨＹロジック２５０に指示しても良い。
【００５９】
他の実施形態では、ＭＡＣサブレイヤロジック２０１は、管理フレーム内のＡＰからのタイムスロット情報及び基地局アクセス分配情報を受信し及び解釈し、又はＡＰへ基地局の種類（センサ型装置、セルラオフローディング装置、又は他の装置種類）若しくは他の情報を送信するためのロジックを有しても良い。
【００６０】
ＰＨＹロジック２５０は、データユニットビルダ２０３を有しても良い。データユニットビルダ２０３は、プリアンブルを決定しても良い。ＰＨＹロジック２５０は、プリアンブルでＭＰＤＵをカプセル化して、ＰＰＤＵを生成しても良い。多くの実施形態では、データユニットビルダ２０３は、宛先通信装置との相互作用を通じて選択される通信パラメータに基づき、プリアンブルを生成しても良い。
【００６１】
通信機２００は、受信機２０４及び送信機２０６を有する。送信機２０６は、符号器２０８、変調器２０８、ＯＦＤＭ２１２、ＤＢＦ２１４のうちの１又は複数を有しても良い。送信機２０６の符号器２０８は、送信予定のデータをＭＡＣサブレイヤロジック２０２から受信し、例えばＢＣＣ（binary  convolutional  coding）、ＬＤＰＣ（low  density  parity  check  coding）、及び／又は等で符号化する。変調器２１０は、符号器２０８からデータを受信し、例えばデータブロックを正弦波の離散振幅の対応するセットに又は正弦波の離散位相のセットに又は正弦波の周波数に対する離散周波数シフトのセットにマッピングすることにより、受信したデータブロックを選択された周波数の正弦波に乗せても良い。変調器２１０の出力は、直交周波数分割多重（orthogonal  frequency  division  multiplexer：ＯＦＤＭ）２１２に供給される。ＯＦＤＭ２１２は、変調器２１０からの変調されたデータを複数の直交サブキャリアに乗せる。そして、ＯＦＤＭ２１２の出力は、複数の空間チャネルを形成し及び各空間チャネルを独立して方向付けて、複数のユーザ端末の各々から送信される及びそれから受信される信号電力を最大化するために、デジタルビーム形成器（digital  beam  former：ＤＢＦ）２１４に供給されても良い。
【００６２】
通信機２００は、アンテナアレイ２１８に接続されるデュプレクサ２１６を有しても良い。したがって、本実施形態では、送信及び受信のために単一アンテナアレイが用いられる。送信するとき、信号は、デュプレクサ２１６を通過し、アップコンバートされた情報を運ぶ信号でアンテナを駆動する。送信中、デュプレクサ２１６は、送信されるべき信号が受信機２０４に入るのを防ぐ。受信するとき、アンテナアレイにより受信された情報を運ぶ信号は、デュプレクサ２１６を通過し、アンテナアレイから受信機２０４へ信号を供給する。次に、デュプレクサ２１６は、受信信号が送信機２０６に入るのを防ぐ。したがって、デュプレクサ２１６は、アンテナアレイ要素を受信機２０４及び送信機２０６に選択的に接続するスイッチとして動作する。
【００６３】
アンテナアレイ２１８は、情報を運ぶ信号を、受信機のアンテナにより受信可能な、時間に伴い変化する電磁エネルギの空間分布で放射する。次に、受信機は、受信信号から情報を抽出できる。
【００６４】
通信機２００は、情報を運ぶ信号を受信し、復調し、及び復号化する受信機２０４を有しても良い。受信機２０４は、ＤＢＦ２２０、ＯＦＤＭ２２２、変調器２２４、及び復号器２２６のうちの１又は複数を有しても良い。受信信号は、アンテナ要素２１８からデジタルビーム形成器（Digital  Beam  Former：ＤＢＦ）２２０へ供給される。ＤＢＦ２２０は、Ｎ個のアンテナ信号をＬ個の情報信号に変換する。ＤＢＦ２２０の出力は、ＯＦＤＭ２１２に供給される。ＯＦＤＭ２２２は、情報を運ぶ信号が変調されている複数のサブキャリアから、信号情報を抽出する。復調器２２４は、受信信号を復調し、受信信号から情報コンテンツを抽出して復調されていない情報信号を生成する。そして、復号器２２６は、復調器２２４からの受信信号を復号化し、復号化情報、ＭＰＤＵをＭＡＣサブレイヤロジック２０１へ送信する。
【００６５】
フレームを受信した後、ＭＡＣサブレイヤロジック２０１は、フレームをパースするために、メモリ内にあるフレーム構造にアクセスしても良い。この情報に基づき、ＭＡＣサブレイヤロジック２０１は、フレーム内のフィールド値のようなコンテンツを決定しても良い。
【００６６】
当業者は、通信機が図２に示されない多数の追加機能を有しても良いこと、受信機２０４及び送信機２０６が１つの通信機としてまとめられるのではなく別個の装置であり得ることを理解するだろう。例えば通信機の実施形態は、ＤＲＡＭ（Dynamic  Random  Access  Memory）、基準発振器、フィルタリング回路、同期回路、インターリーバ及びデインターリーバ、場合によっては複数の周波数変換段及び複数の増幅段、等を有しても良い。さらに、図２に示した機能の幾つかは、統合されても良い。例えば、デジタルビーム形成は、直交周波数分割多重と統合されても良い。幾つかの実施形態では、例えば、通信機２００は、送信機２０６及び／又は受信機２０４の機能を実行するためのコードを含む１又は複数のプロセッサ及びメモリを有しても良い。
【００６７】
図３Ａ〜Ｃは、通信を協調するためのフローチャート３００、３５０、３７０の実施形態を示す。図３Ａを参照すると、フローチャート３００は、タイムスロット境界情報を有する管理フレームを生成することで開始する（要素３０５）。幾つかの実施形態では、ＡＰ内のＭＡＣサブレイヤロジックのようなＭＡＣロジックは、ＢＳＳの基地局が居眠り状態から覚醒する特定の時間を提供し及び最小遅延時間でＡＰへ通信を送信できるよう、ビーコン間隔内のタイムスロット境界を関連する基地局に伝達するために、ビーコンフレームのような管理フレームを生成しても良い。幾つかの実施形態では、管理フレームは、関連付け応答フレームのような関連付けフレーム又は別の管理フレームを有しても良い。
【００６８】
管理フレームを生成した後、ＰＨＹロジックは、管理フレームをプリアンブルでカプセル化して、ＰＰＤＵを生成しても良い（要素３１０）。そして、次に、ＰＨＹは、アンテナ又はアンテナアレイを介してＰＰＤＵを送信しても良い（要素３１５）。
【００６９】
タイムスロット境界を有するビーコンフレームを送信した後に、チャネルがアイドルである場合に、ＭＡＣロジックは、タイムスロット境界で同期フレームを送信しても良い。例えば、ＡＰが別の基地局と通信処理中でない場合、ＡＰは、タイムスロット境界でＣＳＭＡ／ＣＡ（carrier  sense  multiple  access  with  collision  avoidance）を実行しても良い。ＡＰがチャネル上で通信を検出しない場合、チャネルはアイドルであると決定され、ＡＰのＭＡＣロジックは、ＡＰのＰＨＹロジックに、データペイロードを有しない同期フレームのような同期フレームをＢＳＳ内の基地局へ送信するよう指示しても良い。
【００７０】
図３Ｂでは、フローチャート３５０は、タイムスロット境界情報を有する管理フレームを受信することで開始する（要素３５５）。幾つかの実施形態では、基地局のＭＡＣロジックは、タイムスロット境界情報エレメントを有する管理フレームを受信し、タイムスロット境界情報を決定するために、管理フレームをパースし及び解釈しても良い（要素３６０）。幾つかの実施形態では、タイムスロット境界を決定するためにフレームをパースするステップは、タイムスロット境界情報エレメントを有する管理フレームをパースするステップを有する。また、タイムスロット境界情報エレメントをパースするステップは、ビーコン間隔内のタイムスロットを決定するためにタイムスロット境界フィールドをパースするステップを有する。幾つかの実施形態では、管理フレームをパースするステップは、ビーコンフレーム、関連付け応答フレーム、又は再関連付け応答フレームをパースするステップを有する。
【００７１】
多くの実施形態では、基地局は、管理フレーム内のタイムスロット境界情報を受信するのに応答して、チャネルアクセスのためのタイムスロット境界をメモリに格納し、居眠り状態から覚醒するタイムスロット境界を選択し、居眠り状態に入っても良い（要素３６５）。例えば、ビーコン間隔内のタイムスロット境界を決定するためにタイムスロット境界情報エレメントをパースすると、基地局は、居眠り状態から覚醒する時間の選択を実現するために、タイムスロット境界をメモリに格納しても良い。
【００７２】
図３Ｃで、フローチャート３７０は、タイムスロット境界で、居眠り状態から覚醒状態に切り替えることで開始する（要素３７５）。幾つかの実施形態では、基地局のＭＡＣロジックは、アクセスポイントへデータを送信するために周期的に覚醒しても良い。基地局は、アクセスポイントとの通信を実現するために、タイムスロット境界で、低電力消費状態であっても良い居眠り状態から覚醒状態へ覚醒しても良い。
【００７３】
覚醒状態に入ると、データを送信する前に、基地局は、チャネルがアイドルであることを示すＡＰからの同期フレームを受信しても良い（要素３８０）。明確なチャネル評価が同期フレームを検出した後、基地局は、チャネルでパケットを送信しても良い（要素３８０）。例えば、基地局は、センサを有しても良く、センサデータをアクセスポイントへ送信しても良い。
【００７４】
図４は、図２に示す通信を協調するためのフローチャート４５０の一実施形態を示す。フローチャート４５０は、同じタイムスロット境界で覚醒することにより、高い衝突確率を有する基地局を決定することで開始する（要素４５５）。幾つかの実施形態では、分配ロジックは、多数の異なる要因のうちの１又は複数に基づき、高い衝突確率が存在することを決定しても良い。例えば、複数のビーコン間隔の期間に渡り、ＡＰは、大きなパーセンテージの基地局が、覚醒しＡＰへデータを送信するスロット境界として、例えば１番目のスロット境界を選択することを決定しても良い。パーセンテージは、ビーコン間隔内の他のタイムスロットに関連するパーセンテージに対して、より大きくても良い。そして、例えば１番目のスロット境界でチャネルにアクセスする傾向のある基地局の数が多いほど、基地局のうちの２以上が同時に覚醒して情報を送信する確率は高くなる。さらに、基地局は、情報を送信するために周期的に覚醒しても良く、基地局がアクセスとアクセスとの間に同じ時間期間を有し且つＡＰで衝突を生じない場合、衝突確率は低くなる。しかしながら、アクセスとアクセスとの間の時間期間が基地局毎に変化する場合、又は基地局のうちの幾つかが規則的周期的チャネルアクセスを有しない且つこれらの基地局のうちの多数が同じタイムスロット、例えば１番目のタイムスロットを介してアクセスする場合、分配ロジックは、衝突確率が有意であると決定しても良い。
【００７５】
高い衝突確率を有する基地局を決定した後に、分配ロジックは、その基地局のチャネルの基地局アクセスの分布を決定しても良い（要素４６０）。幾つかの実施形態では、分配ロジックは、高い衝突確率を有する特定の基地局を決定しても良い。更なる実施形態では、分配ロジックは、特定のタイムスロットを有するトラックに基づき、高い衝突確率を決定しても良い。更に他の実施形態では、分配ロジックは、通常、ＢＳＳ内の基地局に関連する要因又は特徴に基づき、衝突が生じる高い可能性があることを決定しても良い。
【００７６】
それに応答して、分配ロジックは、衝突を有する可能性の高い基地局について、チャネルの基地局アクセスの分配を決定しても良く、又は全ての基地局若しくは基地局のうちの少なくとも大多数について、チャネルの基地局アクセスの分配を決定しても良い。タイムスロット間でのチャネルの基地局アクセスの分配は、タイムスロット配置、又はより一般的には、一部の基地局を最初の５個のタイムスロットに制限し及び他の基地局を２番目の５個のタイムスロットに制限するような制限を有しても良い。幾つかの実施形態では、チャネルの基地局アクセスの分配は、基地局を２つのグループに分け、タイムスロットを幾つかのグループに分け、及び各基地局グループを異なるタイムスロットグループに割り当てても良い。
【００７７】
チャネルの基地局アクセスの分配を決定した後に、ＡＰは、分配に従って基地局のチャネルアクセスを分配するよう基地局に指示するために、フレームを生成しても良い（要素４６５）。多くの実施形態では、ＡＰは、チャネルの基地局アクセスの分配又は分配の指示を有するビーコンフレームのような管理フレームを生成し、ＰＨＹロジックにビーコンフレームを渡しても良い。幾つかの実施形態では、チャネルの基地局アクセスの分配は、タイムスロット境界情報の指示と共に、管理フレームのフレーム本体に組み込まれても良い。更なる実施形態では、チャネルの基地局アクセスの分配は、タイムスロット境界情報と統合されても良い。例えば、タイムスロット境界情報は、タイムスロットの時間フレーム又はタイムスロットの始めを有しても良い。また、チャネルの基地局アクセスの分配は、同じ情報エレメント内の又は対応するフィールド内のタイムスロット境界情報に関連付けられても良い。
【００７８】
ＰＨＹロジックは、管理フレームを受信し、フレームをプリアンブルでカプセル化しても良い（要素４７０）。フレームをカプセル化した後、ＡＰは、ＡＰに関連する基地局へフレームを送信しても良い（要素４７５）。
【００７９】
以下の例は、更なる実施形態に関連する。一例は方法を有する。方法は、第１の通信装置により、ビーコンフレームの送信と送信の間のタイムスロットスケジュールを決定するステップと、前記第１の通信装置により、前記タイムスロットスケジュールを示す第１のビーコンフレームを生成するステップと、前記第１の通信装置により、前記第１のビーコンフレームを送信するステップと、前記第１の通信装置により、通信チャネルがビジーでない限り、第１の同期フレームを生成するステップと、前記第１の通信装置により、前記通信チャネルがビジーでない限り、ビーコンフレームの送信と送信の間のタイムスロット境界で前記同期フレームを送信するステップと、を有しても良い。
【００８０】
幾つかの実施形態では、方法は、２以上の通信装置間の有意な衝突確率を決定するステップと、前記２以上の通信装置によるアクセスの分配を決定するステップと、前記アクセスの分配を示す第２のビーコンフレームを生成するステップと、前記フレームを送信するステップと、を更に有しても良い。幾つかの実施形態では、有意な衝突確率を決定するステップは、前記通信装置のうちの少なくとも１つからの送信との衝突を検出するステップを有する。多くの実施形態では、ビーコンフレームの送信と送信の間の前記タイムスロットスケジュールを決定するステップは、タイムスロットを有する前記タイムスロットスケジュールを決定するステップを有し、各タイムスロットは、ＰＰＤＵ（physical  layer  convergence  procedure  protocol  data  unit）の少なくとも１つの送信期間にＳＩＦＳ（short  inter  frame  space）を加えた時間期間である。幾つかの実施形態では、ビーコンフレームの送信と送信の間の前記タイムスロットスケジュールを決定するステップは、ビーコン間隔を１より多いタイムスロットに分けるステップを有し、各タイムスロットは、ＰＰＤＵ（physical  layer  convergence  procedure  protocol  data  unit）の少なくとも１つの送信期間にＳＩＦＳ（short  inter  frame  space）を加え、肯定応答フレームの送信期間を加えた時間期間である。幾つかの実施形態では、通信チャネルがビジーでない限り前記第１の同期フレームを生成するステップは、６個以上の直交周波数分割多重シンボルを有する物理レイヤフレームを生成するステップを有する。
【００８１】
フレームを有するパケットの通信のための少なくとも１つのコンピュータプログラムプロダクトであって、コンピュータ使用可のプログラムコードを埋め込まれたコンピュータ使用可能媒体を有し、前記コンピュータ使用可能プログラムコードは、動作を実行するよう構成されるコンピュータ使用可能プログラムコードをを有し、前記動作は、上述の方法の実施形態のうちの１又は複数又は全部に記載の方法を実行する、コンピュータプログラムプロダクト。
【００８２】
ハードウェア及びコードを有する少なくとも１つのシステムは、上述の方法の実施形態のうちの１又は複数又は全部に記載の方法を実行しても良い。
【００８３】
別の例は、装置を有する。装置は、ビーコンフレームの送信と送信の間のタイムスロットスケジュールを決定し及び前記タイムスロットスケジュールを示す第１のビーコンフレームを生成する媒体アクセス制御（medium  access  control：ＭＡＣ）ロジックと、  前記媒体アクセス制御ロジックに結合され、通信チャネルがビジーでない限り第１の同期フレームを生成し送信し、及び前記第１のビーコンフレームをカプセル化し送信する物理レイヤ（physical  layer：ＰＨＹ）ロジックと、を有しても良い。
【００８４】
幾つかの実施形態では、装置は、前記プリアンブルによりカプセル化された前記フレームを送信するアンテナ、を更に有しても良い。幾つかの実施形態では、装置は、前記媒体アクセス制御ロジックに結合され、前記タイムスロットスケジュールを格納するメモリ、を更に有しても良い。幾つかの実施形態では、前記媒体アクセス制御ロジックは、２以上の通信装置間の有意な衝突確率を決定し、前記２以上の通信装置によるアクセスの分配を決定し、前記アクセスの分配を示すフレームを生成し、及び前記フレームを送信するよう前記物理レイヤロジックに指示する、ロジックを有する。幾つかの実施形態では、前記媒体アクセス制御ロジックは、タイムスロットを有する前記タイムスロットスケジュールを決定するロジックを有し、各タイムスロットは、ＰＰＤＵ（physical  layer  convergence  procedure  protocol  data  unit）の少なくとも１つの送信期間にＳＩＦＳ（short  inter  frame  space）を加え、肯定応答フレームの送信期間を加えた時間期間である。幾つかの実施形態では、媒体アクセス制御ロジックは、ビーコン間隔を１又は複数のタイムスロットに分けるロジックを有し、各タイムスロットは、ＰＰＤＵ（physical  layer  convergence  procedure  protocol  data  unit）の少なくとも１つの送信期間にＳＩＦＳ（short  inter  frame  space）を加えた時間期間である。装置の幾つかの実施形態では、前記物理レイヤロジックは、６個以上の直交周波数分割多重シンボルを有する前記同期フレームを生成するロジックを有する。
【００８５】
別の例は、システムを有する。システムは、ビーコンフレームの送信と送信の間のタイムスロットスケジュールを決定し及び前記タイムスロットスケジュールを示す第１のビーコンフレームを生成する媒体アクセス制御（medium  access  control：ＭＡＣ）ロジックと、前記媒体アクセス制御ロジックに結合され、通信チャネルがビジーでない限り第１の同期フレームを生成し送信し、及び前記第１のビーコンフレームをカプセル化し送信する物理レイヤ（physical  layer：ＰＨＹ）ロジックと、を有しても良い。
【００８６】
別の例は、プログラムプロダクトを有する。無線ネットワーク上で異なる種類の装置の送信を協調するプログラムプロダクトは、プロセッサに基づく装置により実行されるべき命令を有する記憶媒体を有しても良く、前記命令は、前記プロセッサに基づく装置により実行されると、動作を実行し、前記動作は、第１の通信装置により、ビーコンフレームの送信と送信の間のタイムスロットスケジュールを決定するステップと、前記第１の通信装置により、前記タイムスロットスケジュールを示す第１のビーコンフレームを生成するステップと、前記第１の通信装置により、前記第１のビーコンフレームを送信するステップと、前記第１の通信装置により、通信チャネルがビジーでない限り、第１の同期フレームを生成するステップと、前記第１の通信装置により、前記通信チャネルがビジーでない限り、ビーコンフレームの送信と送信の間のタイムスロット境界で前記同期フレームを送信するステップと、を有する。
【００８７】
別の例は方法を有する。方法は、第１の通信装置により、タイムスロットスケジュールを示す第１のビーコンフレームを受信するステップであって、前記タイムスロットスケジュールは、ビーコンフレームの送信と送信の間の１又は複数のタイムスロットを示す、ステップと、前記第１の通信装置により、タイムスロットの境界で第１の同期フレームを受信するために、居眠り状態から覚醒状態へ覚醒するステップと、チャネルに同期するために、前記第１の同期フレームを受信するステップと、前記チャネルと同期した後に、アクセスポイントへ通信を送信するステップと、を有する。
【００８８】
幾つかの実施形態は、アクセスの分配を示す第２のビーコンフレームを受信するステップと、前記アクセスの分配に基づくタイムスロットアクセスをメモリに格納するステップと、別の同期フレームを受信するために、前記タイムスロットアクセスにおいて前記居眠り状態から覚醒するステップと、を更に有しても良い。幾つかの実施形態では、方法は、前記第１の通信装置により、第２のビーコンフレームを受信するステップと、前記第１の通信装置により、タイムスロットの境界において別の同期フレームを受信するために、前記居眠り状態から前記覚醒状態へ覚醒するステップと、他の同期フレームの検出に失敗した後に、前記チャネルに同期するために、パケットを待つステップと、を更に有する。多くの実施形態では、前記第１の同期フレームを受信するステップは、６個以上の直交周波数分割多重シンボルを有する物理レイヤフレームを受信するのに応答して、前記チャネルに同期するステップを有する。多くの実施形態では、通信を送信するステップは、フレーム間間隔及びバックオフの後に、通信を送信するステップを有する。
【００８９】
フレームを有するパケットの通信のための少なくとも１つのコンピュータプログラムプロダクトであって、コンピュータ使用可のプログラムコードを埋め込まれたコンピュータ使用可能媒体を有し、前記コンピュータ使用可能プログラムコードは、動作を実行するよう構成されるコンピュータ使用可能プログラムコードをを有し、前記動作は、上述の方法の実施形態のうちの１又は複数又は全部に記載の方法を実行する、コンピュータプログラムプロダクト。
【００９０】
ハードウェア及びコードを有する少なくとも１つのシステムは、上述の方法の実施形態のうちの１又は複数又は全部に記載の方法を実行しても良い。
【００９１】
別の例は、装置を有する。装置は、タイムスロットスケジュールを示す第１のビーコンフレームを受信し、タイムスロットの境界において第１の同期フレームを受信するために居眠り状態から覚醒状態へ覚醒する媒体アクセス制御ロジックであって、前記タイムスロットスケジュールは、ビーコンフレームの送信と送信の間の１又は複数のタイムスロットを示す、媒体アクセス制御ロジックと、前記媒体アクセス制御ロジックに結合され、チャネルに同期するために前記第１の同期フレームを受信し、前記媒体アクセス制御ロジックに前記第１の同期フレームの受信を通知し、前記チャネルに同期した後にアクセスポイントへ通信を送信する物理レイヤロジックと、を有する。
【００９２】
幾つかの実施形態では、装置は、前記通信を送信するために前記物理レイヤロジックに結合されるアンテナ、を更に有しても良い。幾つかの実施形態では、装置は、前記媒体アクセス制御ロジックに結合されたメモリを更に有しても良く、前記媒体アクセス制御ロジックは、前記タイムスロットスケジュールの指示を前記メモリ内に格納する。幾つかの実施形態では、前記媒体アクセス制御ロジックは、アクセスの分配を示す第２のビーコンフレームを受信し、前記アクセスの分配に基づくタイムスロットアクセスをメモリに格納し、別の同期フレームを受信するために前記タイムスロットアクセスにおいて前記居眠り状態から覚醒するロジックを有する。幾つかの実施形態では、前記媒体アクセス制御ロジックは、第２のビーコンフレームを受信し、タイムスロット境界で別の同期フレームを受信するために前記居眠り状態から前記覚醒状態へ覚醒し、別の同期フレーム遅延の検出に失敗した後に前記チャネルと同期するためにパケットを待つロジックを有する。
【００９３】
別の例は、システムを有する。システムは、タイムスロットスケジュールを示す第１のビーコンフレームを受信し、タイムスロットの境界において第１の同期フレームを受信するために居眠り状態から覚醒状態へ覚醒する媒体アクセス制御ロジックであって、前記タイムスロットスケジュールは、ビーコンフレームの送信と送信の間の１又は複数のタイムスロットを示す、媒体アクセス制御ロジックと、前記媒体アクセス制御ロジックに結合され、チャネルに同期するために前記第１の同期フレームを受信し、前記媒体アクセス制御ロジックに前記第１の同期フレームの受信を通知し、前記チャネルに同期した後にアクセスポイントへ通信を送信する物理レイヤロジックと、を有する。
【００９４】
別の例は、プログラムプロダクトを有する。無線ネットワーク上で装置の通信を協調するプログラムプロダクトは、プロセッサに基づく装置により実行されるべき命令を有する記憶媒体を有し、前記命令は、前記プロセッサに基づく装置により実行されると動作を実行し、前記動作は、第１の通信装置により、タイムスロットスケジュールを示す第１のビーコンフレームを受信するステップであって、前記タイムスロットスケジュールは、ビーコンフレームの送信と送信の間の１又は複数のタイムスロットを示す、ステップと、前記第１の通信装置により、タイムスロットの境界で第１の同期フレームを受信するために、居眠り状態から覚醒状態へ覚醒するステップと、チャネルに同期するために、前記第１の同期フレームを受信するステップと、前記チャネルと同期した後に、アクセスポイントへ通信を送信するステップと、を有する。
【００９５】
プログラムプロダクトの幾つかの実施形態は、動作は、アクセスの分配を示す第２のビーコンフレームを受信するステップと、前記アクセスの分配に基づくタイムスロットアクセスをメモリに格納するステップと、別の同期フレームを受信するために、前記タイムスロットアクセスにおいて前記居眠り状態から覚醒するステップと、を更に有する。幾つかの実施形態では、動作は、前記第１の通信装置により、第２のビーコンフレームを受信するステップと、前記第１の通信装置により、タイムスロットの境界において別の同期フレームを受信するために、前記居眠り状態から前記覚醒状態へ覚醒するステップと、他の同期フレームの検出に失敗した後に、前記チャネルに同期するために、パケットを待つステップと、を更に有する。
【００９６】
幾つかの実施形態では、上述の及び請求項の中の特徴の一部又は全部は、１つの実施形態で実装されても良い。例えば、代替の特徴は、ある実施形態ではどの代替を実装するかを決定するロジック又は選択可能な選好とともに代替として実装されても良い。相互に排他的でない特徴を有する幾つかの実施形態は、上述の特徴のうちの１又は複数を有効にする又は無効にするロジック又は選択可能な選好を有しても良い。例えば、幾つかの特徴は、回路経路又はトランジスタを含む又は除去することにより、製造時に選択されても良い。更なる特徴は、ディップスイッチ、ｅフューズ、等のようなロジック又は選択可能な選好を介して配備時又は配備後に選択されても良い。更に別の特徴は、ソフトウェア選好、ｅフューズ、等のような選択可能な選好を介して後にユーザにより選択されても良い。
【００９７】
幾つかの実施形態では、上述の及び請求項の中の特徴の一部又は全部は、１つの実施形態で実装されても良い。例えば、代替の特徴は、ある実施形態ではどの代替を実装するかを決定するロジック又は選択可能な選好とともに代替として実装されても良い。相互に排他的でない特徴を有する幾つかの実施形態は、上述の特徴のうちの１又は複数を有効にする又は無効にするロジック又は選択可能な選好を有しても良い。例えば、幾つかの特徴は、回路経路又はトランジスタを含む又は除去することにより、製造時に選択されても良い。更なる特徴は、ディップスイッチ等のようなロジック又は選択可能な選好を介して配備時又は配備後に選択されても良い。ソフトウェア選好、ディップスイッチ、等のような選択可能な選好を介した後に、ユーザは、更に別の特徴を選択しても良い。
【００９８】
多数の実施形態は、１又は複数の有利な効果を有しても良い。例えば、幾つかの実施形態は、標準的なＭＡＣヘッダサイズに対して縮小されたＭＡＣヘッダサイズを提供しても良い。更なる実施形態は、より効率的な送信のためのより小さなパケットサイズ、通信の送信機側及び受信機側の両者でのより少ないデータトラフィックに起因するより低い電力消費、より少ないトラフィック衝突、パケットの送信又は受信を待機するより少ない待ち時間、等を含んでも良い。
【００９９】
別の実施形態は、図１〜４を参照して記載したシステム、装置及び方法を実装するためのプログラムプロダクトとして実施される。実施形態は、全体的にハードウェアの実施形態、１又は複数のプロセッサ及びメモリのような汎用ハードウェアにより実装されるソフトウェアの実施形態、又は特定目的ハードウェアとソフトウェア要素との両方を含む実施形態の形式をとることができる。ある実施形態は、ファームウェア、常駐ソフトウェア、マイクロコード、又は他の種類の実行可能命令を含むがこれらに限定されないソフトウェア又はコードで実装される。
【０１００】
さらに、幾つかの実施形態は、コンピュータ又は任意の命令実行システムにより又はそれと関連して使用するためのプログラムコードを提供する、機械アクセス可能な、コンピュータにより使用可能な又はコンピュータにより読み取り可能な媒体からアクセス可能なコンピュータプログラムプロダクトの形式を取り得る。本記載の目的のために、機械アクセス可能な、コンピュータにより使用可能な又はコンピュータにより読み取り可能な媒体は、命令実行システム、機器又は装置により若しくはそれらと関連して使用するためのプログラムを有し、格納し、通信し、伝達し又は転送することが可能な任意の機器又は製造品であっても良い。
【０１０１】
媒体は、電子、磁気、光、電磁気、又は半導体システム媒体を有しても良い。機械アクセス可能な、コンピュータにより使用可能な、又はコンピュータにより読み取り可能な媒体の例は、揮発性メモリ及び不揮発性メモリのようなメモリを含む。メモリは、例えば、フラッシュメモリのような半導体又は固体メモリ、磁気テープ、取り外し可能コンピュータディスク、RAM（random  access  memory）、ROM（read−only  memory）、固定磁気ディスク、及び／又は光ディスクを含み得る。光ディスクの現在の例は、ＣＤ−ＲＯＭ（compact  disk  read  only  memory）、ＣＤ−Ｒ／Ｗ（compact  disk  read／write  memory）、ＤＶＤ−ＲＯＭ（digital  video  disk−read  only  memory）、ＤＶＤ−ＲＡＭ（DVD−random  access  memory）、ＤＶＤ−Ｒ（DVD−Recordable  memory）、及びＤＶＤ−Ｒ／Ｗ（DVD−read/write  memory）を含む。
【０１０２】
プログラムコードを格納し及び／又は実行するのに適する命令実行システムは、システムバスを通じてメモリ要素に直接又は間接に結合される少なくとも１つのプロセッサを有しても良い。メモリは、コードの実際の実行中に用いられるローカルメモリ、ＤＲＡＭ（dynamic  random  access  memory）のような大容量記憶装置、及び実行中にコードが大容量記憶装置から読み出されなければならない回数を低減するために少なくとも特定のプログラムコードの一時的記憶を提供するキャッシュメモリを含み得る。
【０１０３】
入力／出力又はＩ／Ｏ装置（キーボード、ディスプレイ、ポインティングデバイス等を含むがこれらに限定されない）は、直接に又は介入するＩ／Ｏ制御部を通じて命令実行システムに結合され得る。ネットワークアダプタも、介入する私設若しくは公衆ネットワークを通じて命令実行システムを他の命令実行システムに又は遠隔プリンタ若しくは記憶装置に結合するために、命令実行システムに結合されても良い。モデム、Ｂｌｕｅｔｏｏｔｈ（登録商標）、Ｅｔｈｅｒｎｅｔ（登録商標）、Ｗｉ−Ｆｉ、及ＷｉＤｉアダプタカードは、現在利用可能な種類のネットワークアダプタのうちの少数の例に過ぎない。
【図１Ａ】
0005926852.tif 000002
【図１Ｂ】
0005926852.tif 000003
【図１Ｃ】
0005926852.tif 000004
【図１Ｄ】
0005926852.tif 000005
【図１Ｅ】
0005926852.tif 000006
【図１Ｆ】
0005926852.tif 000007
【図１Ｇ】
0005926852.tif 000008
【図１Ｈ】
0005926852.tif 000009
【図１Ｉ】
0005926852.tif 000010
【図２】
0005926852.tif 000011
【図３Ａ】
0005926852.tif 000012
【図３Ｂ】
0005926852.tif 000013
【図３Ｃ】
0005926852.tif 000014
【図４】
0005926852.tif 000015